【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
メンバーズカードから当該メンバーズカードを発行した顧客を特定する顧客データをカードリーダにより読み取り、該読み取った顧客データと利用金額とが、一日のタクシー営業時間終了後に読み出して前記顧客データにより特定される顧客に対して利用料金を後日請求できるように前記カードリーダ内のメモリカードに一緒に蓄積されるとともに、前記読み取った顧客データを無線送信する機能を有するタクシー車両内に設けられた端末装置と、該端末装置と無線回線を介して接続され、該接続された前記端末装置から前記顧客データを受信するとともに、該受信した顧客データによって特定される顧客に対するサービス案内情報を当該端末装置に送信する機能を有するセンター側管理装置とを備えて構成され、前記端末装置側で、当該端末装置で受信した前記サービス案内情報に基づくサービスをタクシー利用者に対して行うようにしたタクシー利用システムであって、
前記センター側管理装置は、前記メンバーズカードを発行した顧客に関する顧客情報と、前記メンバーズカードを使用してタクシーを利用したときの利用金額の累計であり、利用料金を請求するため前記メモリカードから読み出した前記顧客データと前記利用金額とに基づいて集計された累計利用金額に応じた累計割引率を含む顧客別のサービス情報とが蓄積された顧客用データベースと、該顧客用データベースを前記受信した顧客データに基づいて検索し、該検索により取得した当該顧客データによって特定される顧客のサービス情報に基づいて当該顧客に対する前記累計利用金額に応じた累計割引率を含む前記サービス案内情報を作成するサービス案内情報作成部とを備え、
前記端末装置は、当該端末装置で受信した前記サービス案内情報が有する前記累計割引率に基づく表示を行う表示部を有し、該表示部に表示した累計割引率による料金の割引のサービスを行う
ことを特徴とするタクシー利用システム。
【請求項２】
メンバーズカードから当該メンバーズカードを発行した顧客を特定する顧客データをカードリーダにより読み取り、該読み取った顧客データと利用金額とが、一日のタクシー営業時間終了後に読み出して前記顧客データにより特定される顧客に対して利用料金を後日請求できるように前記カードリーダ内のメモリカードに一緒に蓄積されるとともに、前記読み取った顧客データを無線送信する機能を有するタクシー車両内に設けられた端末装置と無線回線を介して接続され、前記端末装置とともにタクシー利用システムを構成し、接続された前記端末装置から前記顧客データを受信するとともに、該受信した顧客データによって特定される顧客に対して前記端末装置側でサービスを行うためのサービス案内情報を前記端末装置に送信する機能を有するセンター側管理装置であって、
前記メンバーズカードを発行した顧客に関する顧客情報と、前記メンバーズカードを使用してタクシーを利用したときの利用金額の累計であり、利用料金を請求するため前記メモリカードから読み出した前記顧客データと前記利用金額とに基づいて集計された累計利用金額に応じた累計割引率を含む顧客別のサービス情報とが蓄積された顧客用データベースと、該顧客用データベースを前記受信した顧客データに基づいて検索し、該検索により取得した当顧客データによって特定される顧客のサービス情報に基づいて当該顧客に対する前記サービス案内情報を作成するサービス案内情報作成部とを備え、
前記サービス案内情報が有する前記累計割引率は、前記サービス案内情報を受信した前記端末装置の表示部に前記累計割引率に基づく表示を行わせ、該表示部に表示した累計割引率による料金の割引のサービスを行なうためのものである
ことを特徴とするセンター側管理装置。
【手続補正２】
【補正対象書類名】明細書
【補正対象項目名】０００７
【補正方法】変更
【補正の内容】
【０００７】
上記の目的を達成するためなされた請求項１に係る発明のタクシー利用システムは、メンバーズカードから当該メンバーズカードを発行した顧客を特定する顧客データをカードリーダにより読み取り、該読み取った顧客データと利用金額とが、一日のタクシー営業時間終了後に読み出して前記顧客データにより特定される顧客に対して利用料金を後日請求できるように前記カードリーダ内のメモリカードに一緒に蓄積されるとともに、前記読み取った顧客データを無線送信する機能を有するタクシー車両内に設けられた端末装置と、該端末装置と無線回線を介して接続され、該接続された前記端末装置から前記顧客データを受信するとともに、該受信した顧客データによって特定される顧客に対するサービス案内情報を当該端末装置に送信する機能を有するセンター側管理装置とを備えて構成され、前記端末装置側で、当該端末装置で受信した前記サービス案内情報に基づくサービスをタクシー利用者に対して行うようにしたタクシー利用システムであって、前記センター側管理装置は、前記メンバーズカードを発行した顧客に関する顧客情報と、前記メンバーズカードを使用してタクシーを利用したときの利用金額の累計であり、利用料金を請求するため前記メモリカードから読み出した前記顧客データと前記利用金額とに基づいて集計された累計利用金額に応じた累計割引率を含む顧客別のサービス情報とが蓄積された顧客用データベースと、該顧客用データベースを前記受信した顧客データに基づいて検索し、該検索により取得した当顧客データによって特定される顧客のサービス情報に基づいて当該顧客に対する前記累計利用金額に応じた累計割引率を含む前記サービス案内情報を作成するサービス案内情報作成部とを備え、前記端末装置は、当該端末装置で受信した前記サービス案内情報が有する前記累計割引率に基づく表示を行う表示部を有し、該表示部に表示した累計割引率による料金の割引のサービスを行うことを特徴としている。
【手続補正３】
【補正対象書類名】明細書
【補正対象項目名】０００８
【補正方法】変更
【補正の内容】
【０００８】
請求項２に係る発明のセンター側管理装置は、メンバーズカードから当該メンバーズカードを発行した顧客を特定する顧客データをカードリーダにより読み取り、該読み取った顧客データと利用金額とが、一日のタクシー営業時間終了後に読み出して前記顧客データにより特定される顧客に対して利用料金を後日請求できるように前記カードリーダ内のメモリカードに一緒に蓄積されるとともに、前記読み取った顧客データを無線送信する機能を有するタクシー車両内に設けられた端末装置と無線回線を介して接続され、前記端末装置とともにタクシー利用システムを構成し、接続された前記端末装置から前記顧客データを受信するとともに、該受信した顧客データによって特定される顧客に対して前記端末装置側でサービスを行うためのサービス案内情報を前記端末装置に送信する機能を有するセンター側管理装置であって、前記メンバーズカードを発行した顧客に関する顧客情報と、前記メンバーズカードを使用してタクシーを利用したときの利用金額の累計であり、利用料金を請求するため前記メモリカードから読み出した前記顧客データと前記利用金額とに基づいて集計された累計利用金額に応じた累計割引率を含む顧客別のサービス情報とが蓄積された顧客用データベースと、該顧客用データベースを前記受信した顧客データに基づいて検索し、該検索により取得した当顧客データによって特定される顧客のサービス情報に基づいて当該顧客に対する前記サービス案内情報を作成するサービス案内情報作成部とを備え、前記サービス案内情報が有する前記累計割引率は、前記サービス案内情報を受信した前記端末装置の表示部に前記累計割引率に基づく表示を行わせ、該表示部に表示した累計割引率による料金の割引のサービスを行なうためのものであることを特徴としている。
【手続補正４】
【補正対象書類名】明細書
【補正対象項目名】０００９
【補正方法】変更
【補正の内容】
【０００９】
上記構成の本発明のタクシー利用システムによれば、メンバーズカードから当該メンバーズカードを発行した顧客を特定する顧客データをカードリーダにより読み取り、該読みった顧客データと利用金額とが、一日のタクシー営業時間終了後に読み出して前記顧客データにより特定される顧客に対して利用料金を後日請求できるように前記カードリーダ内のメモリカードに一緒に蓄積されるとともに、読み取った顧客データを無線送信する機能を有する端末装置をタクシー車両内に設け、該端末装置と無線回線を介して接続されるセンター側管理装置に、該接続された端末装置から顧客データを受信するとともに、該受信した顧客データによって特定される顧客に対するサービス案内情報を当該端末装置に送信する機能を有するようにし、端末装置側で、当該端末装置で受信したサービス案内情報に基づくサービスをタクシー利用者に対して行うことができる。
【手続補正５】
【補正対象書類名】明細書
【補正対象項目名】００１０
【補正方法】変更
【補正の内容】
【００１０】
特に、センター側管理装置側で、メンバーズカードを発行した顧客に関する顧客情報と、メンバーズカードを使用してタクシーを利用したときの利用金額の累計であり、利用料金を請求するためメモリカードから読み出した顧客データと利用金額とに基づいて集計された累計利用金額に応じた累計割引率を含む顧客別のサービス情報とが蓄積された顧客用データベースを、サービス案内情報作成部が受信した顧客データに基づいて検索し、該検索により取得した当顧客データによって特定される顧客のサービス情報に基づいて当該顧客に対する累計利用金額に応じた累計割引率を含むサービス案内情報を作成し、端末装置側で、当該端末装置で受信したサービス案内情報が含む累計割引率に基づく表示を行う表示部を有し、該表示部に表示した累計割引率による料金の割引のサービスを行うので、メンバーズカード利用者はタクシー利用頻度に応じた料金の割引サービスを受けることができる。
【手続補正６】
【補正対象書類名】明細書
【補正対象項目名】００１１
【補正方法】変更
【補正の内容】
【００１１】
また、本発明のセンター側管理装置によれば、メンバーズカードから当該メンバーズカードを発行した顧客を特定する顧客データをカードリーダにより読み取り、該読み取った顧客データと利用金額とが、一日のタクシー営業時間終了後に読み出して顧客データにより特定される顧客に対して利用料金を後日請求できるようにカードリーダ内のメモリカードに一緒に蓄積されるとともに、読み取った顧客データを無線送信する機能を有するタクシー車両内に設けられた端末装置と無線回線を介して接続され、端末装置とともにタクシー利用システムを構成し、接続された端末装置から顧客データを受信するとともに、該受信した顧客データによって特定される顧客に対して端末装置側でサービスを行うためのサービス案内情報を端末装置に送信する。
【手続補正７】
【補正対象書類名】明細書
【補正対象項目名】００１２
【補正方法】変更
【補正の内容】
【００１２】
特に、メンバーズカードを発行した顧客に関する顧客情報と、メンバーズカードを使用してタクシーを利用したときの利用金額の累計であり、利用料金を請求するためメモリカードから読み取った顧客データと利用金額とに基づいて集計された累計利用金額に応じた累計割引率を含む顧客別のサービス情報とが蓄積された顧客用データベースを、サービス案内情報作成部が受信した顧客データに基づいて検索し、該検索により取得した当顧客データによって特定される顧客のサービス情報に基づいて当該顧客に対する累計利用金額に応じた累計割引率を含むサービス案内情報を作成し、サービス案内情報を受信した端末装置の表示部に累計割引率に基づく表示を行わせ、該表示部に表示した累計割引率による料金の割引のサービスを行なうので、メンバーズカード利用者はタクシー利用頻度に応じた料金の割引サービスを受けることができる。
【手続補正８】
【補正対象書類名】明細書
【補正対象項目名】００１４
【補正方法】変更
【補正の内容】
【００１４】
図１は本発明によるタクシー利用システムにおけるタクシー用端末装置の実施形態の外観構成を示す斜視図、図２はこの端末装置が使用されるタクシー利用システムの機能構成を示すブロック図である。
【手続補正９】
【補正対象書類名】明細書
【補正対象項目名】００３８
【補正方法】変更
【補正の内容】
【００３８】
【図１】本発明によるタクシー利用システムにおけるタクシー用端末装置の実施形態を示す斜視図である。
【図２】本発明によるタクシー利用システムの実施形態の機能構成を示すブロック図である。
【図３】顧客用データベースの構成を示す説明図である。